(57)【特許請求の範囲】
【請求項１】
一枚のブランク１０Ａを組み立ててなる箱本体１０に、少なくとも鏡餅Ｍと橙Ｄからなる鏡餅セットＳを前記鏡餅Ｍの頂部に橙Ｄが位置するように収納する鏡餅セット包装箱であって、
前記橙Ｄが、橙本体Ｄａと蔕Ｄｂとからなり、該蔕Ｄｂに蔕保持部Ｄｃが設けられており、
前記ブランク１０Ａが、側パネル１１、正面パネル１２、側パネル１３、後パネル１４、糊代片１５を、折れ線を介して順次連設し、前記側パネル１１の上辺には折れ線を介して天下片１６を連設し、正面パネル１２の上辺には折れ線を介して天パネル１７を連設し、該天パネル１７の上辺には折れ線を介して天差し込み片１７ａを連設し、側パネル１３の上辺には折れ線を介して階段状に折り曲げ可能で、先端辺となる上辺に切り込みにより橙吊り下げフックＨを設けた橙保持片１８を連設してなり、
前記ブランク１０Ａを組み立てた時に、前記橙Ｄの蔕Ｄｂを、蔕保持部Ｄｃと橙本体Ｄａの間で、前記橙吊り下げフックＨに差し込み、前記橙Ｄを前記鏡餅Ｍの頂部で保持して前記箱本体１０内に収納することを特徴とする鏡餅セット包装箱。
【請求項２】
前記橙吊り下げフックＨが、フック導入部Ｈａとフック保持部Ｈｂとからなり、該フック保持部Ｈｂで前記橙Ｄの前記蔕Ｄｂ部分を保持することを特徴とする請求項１に記載の鏡餅セット包装箱。
【請求項３】
前記フック保持部Ｈｂの形状が、星形であることを特徴とする請求項２に記載の鏡餅セット包装箱。
【請求項４】
前記正面パネル１２と前記天パネル１７に渡って、内容物の鏡餅セットＳを外から見せるための窓部Ｗを設けていることを特徴とする請求項１乃至３のいずれかに記載の鏡餅セット包装箱。
【発明の詳細な説明】
【技術分野】
【０００１】
この発明は鏡餅セット包装箱に関するものであり、詳しくは、重ね鏡餅と橙（だいだい）とを包装する鏡餅セット包装箱に関するものである。
【背景技術】
【０００２】
従来より、正月など祝い事では重ね鏡餅が供えられることが多い。最近では、重ね鏡餅として、プラスチック製の重ね鏡餅容器に餅を柔らかい状態で封入した重ね鏡餅や、その重ね鏡餅容器の上に載せるプラスチック製の擬似橙等を鏡餅セットとして収納した包装箱が販売されるようになっている。鏡餅を充填した合成樹脂製鏡餅パックと、橙、厚紙製の三方などからなる鏡餅セットが、一つの包装箱の中に一体に収納されている。
【０００３】
これらの鏡餅セットは、板紙製の包装箱で内部が見えるように一部に透明フィルムが貼り付けられた窓を有する包装箱の中に収納された状態で商品として販売されることが多いが、橙と鏡餅容器とを別々にして収納した場合（特許文献１を参照）、鏡餅セット包装箱の収納効率はよいものの、橙が鏡餅容器に飾り付けられた状態をディスプレイして商品陳列をすることができず、見栄えがよくないといった問題があった。また、このような状態にする場合、橙を鏡餅容器の頂部に接着剤等で接着固定するか、あるいは、透明プラスチックキャップで被せるように固定する方法があるものの、加工工程が増えてコストが高くなるという問題があった。このような問題を解消した、分離された状態の橙と鏡餅容器を収納しつつも、収納した鏡餅セットの見栄えをよくする鏡餅セット包装箱も提供されている（特許文献２を参照）。
【特許文献１】特開平１１−１２７８０１号公報
【特許文献２】特開２００５−８１６８号公報
【発明の概要】
【発明が解決しようとする課題】
【０００４】
しかしながら、上記の鏡餅セット包装箱では、箱の形状が複雑であり、内容物の充填作業が難しいという問題がある。また、橙を蔕の部分で保持するために、橙取付片の橙取付孔に下から蔕を差し込む必要があり、下方に抜けやすく橙を下方に抜けないように保持することが難しいという問題がある。
【発明の効果】
【０００５】
本発明の鏡餅セット包装箱によれば、橙が鏡餅容器に飾り付けられた状態で包装箱に収納し、かつ、外から確認できることができ、収納した鏡餅セットの見栄えをよくすることができ販促効果を高めることができる。
すなわち、側パネルの上辺に連設した橙保持片に橙吊り下げフックを設け、その橙吊り下げフックに橙の蔕の部分を差し込み保持することによって、組み立てる前の箱本体に収納された状態で、橙を鏡餅の上で固着する必要がなく鏡餅の頂部に保持することができ、かつ、簡単に、鏡餅を収納した包装箱から簡単に取り出して組み立てることができるという効果を有している。
特に、蔕に蔕保持部を設け、蔕を、蔕保持部と橙本体の間で、箱本体の橙保持片の橙吊り下げフックに差し込むことによって、蔕が橙保持片から下へ抜け落ちることを防ぎ、橙が箱本体の橙保持片で保持される。
また、橙吊り下げフックのフック保持部の形状を星形とすることによって、橙の蔕をスムースに導入することができると同時に、星形のフック保持部に引っかかり簡単には外れることがないという良好な機能を付与することができるという効果を奏するものである。
【図面の簡単な説明】
【０００６】
【図１】本発明の鏡餅セット収納箱に鏡餅セットを収納した状態の斜視図である。
【図２】橙を橙保持片に取付けた状態の側面図である。
【図３】本発明の鏡餅セット収納箱に鏡餅セットを収納した状態の縦断面図である。
【図４】本発明の鏡餅セット収納箱の箱本体のブランクを示す展開図である。
【図５】本発明の鏡餅セット収納箱の橙保持片に設ける橙吊り下げフックの形状を示す図である。
【発明を実施するための形態】
【０００７】
以下、本願発明を具体化した実施形態の鏡餅セット包装箱を図に基づき詳細に説明する。
【０００８】
図１は、鏡餅セットが収納された状態の鏡餅セット包装箱１を示す斜視図であり、鏡餅セット包装箱１では、箱本体１０に内容物である鏡餅セットＳが収納されている。鏡餅セットＳは、主に鏡餅Ｍの入った鏡餅容器Ｐと橙Ｄからなり、鏡餅容器Ｐと橙Ｄ以外に、三方、末広、水引などを加えて収納することもできる。鏡餅セット包装箱１では、鏡餅Ｍの頂部には橙Ｄが位置するように、箱本体１０に内容物である鏡餅セットＳが収納されているが、橙Ｄが鏡餅容器Ｐの頂部に接着などにより固着されているのではなく、橙保持片１８により鏡餅容器Ｐの頂部に保持されている。
【０００９】
また、橙Ｄは、図２に示すように、橙本体Ｄａと蔕Ｄｂとからなり、蔕Ｄｂの上部には、蔕保持部Ｄｃが設けられ、この蔕保持部Ｄｃには葉柄Ｄｄを付設することができる。この蔕保持部Ｄｃによって、図３に示すように、蔕Ｄｂが橙保持片１８から下へ抜け落ちることを防ぎ、橙Ｄが箱本体１０の橙保持片１８で保持される。
【００１０】
図４は、箱本体１０が組み立てられる前のブランクの展開図である。ブランク１０Ａは、側パネル１１、正面パネル１２、側パネル１３、後パネル１４、糊代片１５を折れ線ａ、ｂ、ｃ、ｄを介して順次連設している。側パネル１１の上辺には折れ線ｅを介して天下片１６を連設し、正面パネル１２の上辺には折れ線ｆを介して天パネル１７を連設し、その天パネル１７の上辺には折れ線ｇを介して天差し込み片１７ａを連設し、側パネル１３の上辺には折れ線ｈを介して橙保持片１８を連設している。また、正面パネル１２と天パネル１７に渡って、内容物の鏡餅セットＳを外から見せるための窓部Ｗを設けている。
【００１１】
また、橙保持片１８は、組み立てた時に、天パネル１７の窓部Ｗから内容物を見る際に障害とならなりように、窓部Ｗと重なる部分が切り欠けた形状としている。そして、橙保持片１８には、折れ線ｈに平行に二本の折れ線ｉ、ｊを設けている。この折れ線ｉ、ｊを、図３に示すように、階段状に折り曲げて段差のある形状として収納した橙Ｄを保持することを可能にしている。
【００１２】
さらに、橙保持片１８の先端辺となる上辺には、切り込みにより橙吊り下げフックＨを設けている。この橙吊り下げフックＨは、図５に示すように、フック導入部Ｈａとフック保持部Ｈｂとからなり、内容物である橙Ｄを箱本体１０に収容した時に、フック保持部Ｈｂの位置が、橙保持片１８を階段状に折り曲げた状態で、橙Ｄの蔕Ｄｂの部分と重なる天パネル１７の中央部になるようにする。
この橙吊り下げフックＨでは、橙Ｄの蔕Ｄｂの部分を孔に上または下から差し込むのではなく、図２、３に示すように、切り込みによる橙吊り下げフックＨに横から差し込む形状としている。橙吊り下げフックＨをこのような形状とすることによって、橙Ｄの蔕Ｄｂを二股にスムーズに挟むことができ、輸送時、陳列時には、橙Ｄの蔕Ｄｂが外れ難く、使用する時には、蔕Ｄｂが外し易くなる。
【００１３】
具体的に、フック導入部Ｈａとフック保持部Ｈｂとからなる橙吊り下げフックＨの形状としては、
１．単なる切り込み（図５−ａに示す）
２．フック保持部Ｈｂが円形（図５−ｂに示す）
３．フック保持部Ｈｂが星形（図５−ｃに示す）
がある。中でも、フック保持部Ｈｂを星形とすることによって、橙Ｄの蔕Ｄｂをスムースに導入することができると同時に、星形のフック保持部Ｈｂに引っかかり簡単には外れることがないという良好な機能を付与することができる。
【００１４】
さらに、側パネル１１、正面パネル１２、側パネル１３、後パネル１４のには、下辺には、折れ線ｋ、ｌ、ｍ、ｎを介してそれぞれ底パネル１９、２０、２１、２２を設けている。これらの底パネル１９、２０、２１、２２を適宜貼り合せて底部を形成することができる。
【００１５】
つぎに、鏡餅セットＳが収納された状態の鏡餅セット包装箱１を作成する方法を説明する。まず、上述したブランク１０Ａを組み立てて箱本体１０を作製するが、ブランク１０Ａの側パネル１１と糊代片１５を貼り合わせて、折り畳んだ状態の箱本体１０を作成する。この折り畳まれた状態の箱本体１０を組み立てて、鏡餅セットＳを収納するために、折り畳まれた状態の箱本体１０を起こして箱本体１０の中に鏡餅Ｍの入った鏡餅容器Ｐを収納する。その際に、三方、その他の飾り物も収納することができる。つぎに、橙保持片１８を折れ線ｉ、ｊで階段状に折り曲げ、橙Ｄの蔕Ｄｂを蔕保持部Ｄｃと橙本体Ｄａの間で、先端辺に設けられている橙吊り下げフックＨのフック導入部Ｈａからフック保持部Ｈｂまで差し込んだ後、橙Ｄを鏡餅容器Ｐの頂部に乗せる。この状態で、橙Ｄは鏡餅容器Ｐの頂部で保持されている。
つぎに、天下片１６を内側に折り曲げ、ついで、天パネル１７を内側に折り曲げて、差し込み片１７ａを後パネル１４の裏面側に差し込むことにより鏡餅セット包装箱１が完成する。
さらに、鏡餅セットＳが収納された状態の鏡餅セット包装箱１の外側を透明なプラスチックフィルムで包装してもよい。
【００１６】
本発明の鏡餅セット包装箱１の箱本体１０には、主に板紙を使用する。板紙以外にも、プラスチックシートも使用することができる。
【００１７】
実際に、消費者が購入した鏡餅セット包装箱１から鏡餅セットＳを取り出すが、まず、箱本体１０の天パネル１７を開封し、つぎに、鏡餅容器Ｐの頂部に載る橙Ｄを持ち上げて橙吊り下げフックＨから蔕Ｄａを横に外して取り出す。ついで、鏡餅容器Ｐから鏡餅Ｍを取り出し、さらに、他の飾り物を取り出し、三方などの盆部の上に鏡餅Ｍのせ、飾りをつければよい。
【符号の説明】
【００１８】
１      鏡餅セット包装箱
Ｍ      鏡餅
Ｐ      鏡餅容器
Ｓ      鏡餅セット
Ｄ      橙
Ｄａ    橙本体
Ｄｂ    蔕
Ｄｃ    蔕保持部
Ｄｄ    葉柄
１０Ａ  ブランク（箱本体）
１０    箱本体
１１    側パネル
１２    正面パネル
１３    側パネル
１４    後パネル
１５    糊代片
１６    天下片
１７    天差し込み片
１８    橙保持片
Ｈ      橙吊り下げフック
Ｈａ    フック導入部
Ｈｂ    フック保持部
Ｗ      窓
【図１】
0005471595.tif 000002
【図２】
0005471595.tif 000003
【図３】
0005471595.tif 000004
【図４】
0005471595.tif 000005
【図５】
0005471595.tif 000006